(57)【要約】【課題】製造しやすい筐体構造、およびテレビジョン装置を提供する。【解決手段】枠体１０と、枠体の周辺部で、分割されたスペーサ４を介して固着される板体３とを有する筐体構造である。スペーサのつなぎ目部分９の位置に、枠体の厚み方向に貫通する、封止剤充填用の開口２０が設けられている。枠体は、スペーサのつなぎ目部分の位置で透明あるいは半透明に形成され、封止剤がスペーサの色とは異なる色で形成される。好ましくは、封止剤充填用の開口のスペーサの幅方向でみた長さが、スペーサの幅よりも小さく形成されている。【選択図】図５
2019029474.tif 000002
【特許請求の範囲】
【請求項１】
枠体と、該枠体の周辺部で、分割されたスペーサを介して固着される板体とを有する筐体構造であって、
前記スペーサのつなぎ目部分の位置に、前記枠体の厚み方向に貫通する、封止剤充填用の開口が設けられており、前記枠体は、前記スペーサのつなぎ目部分の位置で透明あるいは半透明に形成され、前記封止剤が前記スペーサの色とは異なる色で形成されることを特徴とする筐体構造。
【請求項２】
前記封止剤充填用の開口の前記スペーサの幅方向でみた長さが、前記スペーサの幅よりも小さく形成されていることを特徴とする請求項１に記載の筐体構造。
【請求項３】
前記封止剤充填用の開口が切り欠きで形成されていることを特徴とする請求項２に記載の筐体構造。
【請求項４】
前記封止剤充填用の開口が孔で形成されていることを特徴とする請求項２に記載の筐体構造。
【請求項５】
前記スペーサが防水用であることを特徴とする請求項１から４のいずれか一項に記載の筐体構造。
【請求項６】
請求項１から５のいずれか一項に記載の筐体構造を搭載したことを特徴とするテレビジョン装置。
【発明の詳細な説明】
【技術分野】
【０００１】
本発明は、筐体構造、およびテレビジョン装置に関し、詳細には、枠体と、枠体の周辺部でスペーサを介して固着される板体とを有する筐体構造、およびテレビジョン装置に関する。
【背景技術】
【０００２】
浴室や台所などの水回りで使用される電子機器には、水を電子機器の内部に浸入させないことが要求される。例えば、特許文献１には、画面を保護する板体（透明パネル）と画面を保持する枠体（筐体）を防水用スペーサで固定する防水構造が開示されている。詳しくは、短冊状のスペーサを枠体の前面に貼付し、枠体にはスペーサのつなぎ目部分の位置に、枠体の前面と後面とを貫通する孔を形成し、この孔に封止剤（充填剤）を充填している。
【先行技術文献】
【特許文献】
【０００３】
【特許文献１】特開２０１５−１４４４１０号公報
【発明の概要】
【発明が解決しようとする課題】
【０００４】
しかしながら、スペーサと封止剤を同じ色で形成するものがあり、封止剤を孔に充填した場合、この封止剤が同じ色のスペーサのつなぎ目部分にまで到達しているかを確認し難い。このため、筐体構造を製造しやすくすることが望まれる。
【０００５】
本発明は、上述のような実情に鑑みてなされたもので、製造しやすい筐体構造、およびテレビジョン装置を提供することを目的とする。
【課題を解決するための手段】
【０００６】
上記課題を解決するために、本発明の第１の技術手段は、枠体と、該枠体の周辺部で、分割されたスペーサを介して固着される板体とを有する筐体構造であって、前記スペーサのつなぎ目部分の位置に、前記枠体の厚み方向に貫通する、封止剤充填用の開口が設けられており、前記枠体は、前記スペーサのつなぎ目部分の位置で透明あるいは半透明に形成され、前記封止剤が前記スペーサの色とは異なる色で形成されることを特徴としたものである。
【０００７】
第２の技術手段は、第１の技術手段において、前記封止剤充填用の開口の前記スペーサの幅方向でみた長さが、前記スペーサの幅よりも小さく形成されていることを特徴としたものである。
【０００８】
第３の技術手段は、第２の技術手段において、前記封止剤充填用の開口が切り欠きで形成されていることを特徴としたものである。
【０００９】
第４の技術手段は、第２の技術手段において、前記封止剤充填用の開口が孔で形成されていることを特徴としたものである。
【００１０】
第５の技術手段は、第１から第４のいずれか１の技術手段において、前記スペーサが防水用であることを特徴としたものである。
【００１１】
第６の技術手段は、第１から第５のいずれか１の筐体構造を搭載したテレビジョン装置であることを特徴としたものである。
【発明の効果】
【００１２】
本発明によれば、枠体は、スペーサのつなぎ目部分の位置が透明あるいは半透明で形成されており、封止剤充填用の開口に封止剤を充填した場合、この封止剤がスペーサにまで到達しているかを確認しやすくなる。そして、封止剤とスペーサとを異なる色で形成するため、封止剤がスペーサのつなぎ目部分にまで到達しているかを容易に確認することができる。よって、筐体構造を製造しやすい。
【図面の簡単な説明】
【００１３】
【図１】本発明によるテレビジョン装置の外観の一例を示す図である。
【図２】テレビジョン装置の分解斜視図である。
【図３】枠体の背面図である。
【図４】スペーサを介して板体に固着された枠体の背面図である。
【図５】図４の枠体の部分拡大図である。
【図６】実施形態２の枠体の部分拡大図である。
【発明を実施するための形態】
【００１４】
以下、添付図面を参照しながら、本発明の筐体構造、およびテレビジョン装置に係る好適な実施の形態について説明する。
図１は、本発明によるテレビジョン装置の外観の一例を示す図である。テレビジョン装置１は、例えば、浴室や台所などの水回りで使用可能に形成されており、パネルモジュール２、背面筐体１７を有し、背面筐体１７の中央位置には、テレビジョン装置１を支持するスタンド１９が設置される。なお、背面筐体１７において、スタンド１９の側方には電源スイッチ１８が設けられている。
【００１５】
（実施形態１）
図２は、テレビジョン装置の分解斜視図であり、図３は、枠体の背面図、図４は、スペーサを介して板体に固着された枠体の背面図である。
図２に示すように、パネルモジュール２は、例えば、液晶層やガラス基板などを有した矩形状のＬＣＤ（Liquid Crystal Display）パネル１５や、その図示は省略するが、例えば、保護ガラス、偏光板、拡散板、バックライト等を有している。ＬＣＤパネル１５の後方には、テレビジョン装置１を駆動させる回路基板１６が設けられる。
【００１６】
ＬＣＤパネル１５の正面の周縁や外周面は、例えば樹脂製の枠体１０で押さえられる。枠体１０は、例えば矩形状に形成され、水平方向に延びた上フレーム１０ａと下フレーム１０ｂの間に、垂直方向に延びた右フレーム１０ｃと左フレーム１０ｄを有している。枠体１０の後面１２がパッキン（図示省略）を介して背面筐体１７に取り付けられる。図３に示すように、枠体１０の後面１２には、背面筐体１７に連結するためのボス部１３が複数設けられ、下フレーム１０ｂの両端付近には、スピーカ用のカバー部１４が設けられている。
【００１７】
一方、図２に示すように、枠体１０の前面１１には、例えば防水用のスペーサ４が貼付され、枠体１０の周辺部がスペーサ４を介して例えば矩形状の板体３（例えばガラス製）に固着される。
スペーサ４は、例えば両面テープであり、黒色に形成される。スペーサ４は、材料費用を抑えるために例えば４分割されており、枠体１０の四辺に沿って、上方部５、下方部６、側方部７，８を有している。
【００１８】
上方部５は、コ字状に形成され、枠体１０の上フレーム１０ａに沿って水平方向に延び、その両端部分が下方に向けてそれぞれ突き出ている。下方部６も、略コ字状に形成され、下フレーム１０ｂに沿って水平方向に延び、カバー部１４の位置で折れ曲がるが、その両端部分は上方に向けてそれぞれ突き出ている。側方部７は、右フレーム１０ｃに沿って垂直方向に延び、側方部８は、左フレーム１０ｄに沿って垂直方向に延びている。
【００１９】
４分割したスペーサ４を枠体１０の前面１１に貼付すると、図４に示すように、上方部５の突出端と側方部７の上端との間には、スペーサ４のつなぎ目部分９が水平方向に沿って生ずる場合がある。同様に、上方部５の突出端と側方部８の上端との間、下方部６の突出端と側方部７の下端との間、下方部６の突出端と側方部８の下端との間にも、スペーサ４のつなぎ目部分９が生ずることがある。
【００２０】
スペーサ４の各つなぎ目部分９は、枠体１０の内周側と外周側とを連通するので、防水性能を低下させる要因になる。そこで、枠体１０には、各つなぎ目部分９の位置に、封止剤充填用の開口２０を形成し、この開口２０に封止剤を供給してつなぎ目部分９を埋めることにより、枠体１０の内周側と外周側とを連通する箇所を無くしている。
【００２１】
図５は、図４の枠体の部分拡大図である。封止剤充填用の開口２０は、例えば切り欠きで形成され、上方部５の突出端と側方部７の上端との間、上方部５の突出端と側方部８の上端との間、下方部６の突出端と側方部７の下端との間、下方部６の突出端と側方部８の下端との間の計４箇所設けられている。そのうち、上方部５の突出端と側方部７の上端との間に設けた開口２０を例に挙げて説明すると、この切り欠き状の開口２０は、つなぎ目部分９に対面した、右フレーム１０ｃの辺部分に設けられている。
【００２２】
詳しくは、図５（Ａ）に示すように、枠体１０は、少なくともスペーサ４のつなぎ目部分９に対応した位置で透明あるいは半透明に形成されており、切り欠き状の開口２０は、枠体１０の厚み方向（テレビジョン装置１の奥行き方向と同じ）に、つまり、枠体１０の前面１１と後面１２とを貫通して形成されている。また、開口２０は、例えば、枠体１０の内周側に開いており、封止剤の導入口２１を有し、導入口２１から側面２３に連なって、先端面２２に達している。
【００２３】
開口２０の側面２３は導入口２１から水平方向に延びており、テレビジョン装置１の上下方向で対向する側面２３間の長さ（枠体１０の厚み方向における開口２０の幅）は、テレビジョン装置１の奥行き方向に亘って同じ大きさである。
また、切り欠き状の開口２０を右フレーム１０ｃの辺部分に設けた場合には、この開口２０のスペーサ４の幅方向（テレビジョン装置１の左右方向）でみた長さが、例えば、テレビジョン装置１の左右方向で見た側方部７の幅よりも小さく形成されており、開口２０の先端面２２は、枠体１０の外周側に達しておらず、例えばスペーサ４の幅の中央位置で、側面２３に対して垂直方向に延びている。
【００２４】
そして、封止剤３０は、スペーサ４の色（例えば黒色）とは異なる色（例えば白色や灰色）で形成されており、開口２０の導入口２１から供給された封止剤３０は、板体３の背面で支えられながら先端面２２に向けて進み、図５（Ｂ）に示すように、開口２０に充填されるとともに、開口２０内に露出したつなぎ目部分９に充填される。これにより、上方部５と側方部７がつながるので、防水性能の低下を回避できる。
【００２５】
なお、封止剤３０の例えば供給量が多い場合、封止剤３０は、開口２０内に露出したつなぎ目部分９から、板体３の背面と枠体１０の前面１１と間に形成された間隙を経由して、開口２０よりも側方に位置するつなぎ目部分９にも充填される。
このように、枠体１０は、スペーサ４のつなぎ目部分９の位置が透明あるいは半透明で形成されており、開口２０に封止剤３０を充填した場合、この封止剤３０がスペーサ４のつなぎ目部分９（開口２０内に露出したつなぎ目部分９）にまで到達しているかを確認しやすくなる。そして、封止剤３０とスペーサ４とを異なる色で形成するため、封止剤３０がスペーサ４のつなぎ目部分９にまで到達しているかを容易に確認することができる。よって、筐体構造を製造しやすい。
【００２６】
また、開口２０がスペーサ４の設置範囲よりも小さく形成されており、開口２０のスペーサ４の幅方向でみた長さをスペーサ４の幅よりも小さく形成すれば、封止剤３０が例えば開口２０よりも側方に位置するつなぎ目部分９に入り込んでいることを確認することにより、封止剤３０が開口２０内に露出したつなぎ目部分９にまで到達していることを認識できる。
さらに、切り欠き状の開口２０によれば、封止剤３０を充填した場合に、この封止剤３０が開口２０の途中に留まり難くなり、封止剤３０が、つなぎ目部分９にまで到達しているかをより一層容易に確認できる。
【００２７】
（実施形態２）
図６は、実施形態２の枠体の部分拡大図である。
上記実施形態１では、切り欠き状の開口２０の例を挙げて説明した。しかし、本発明はこの例に限定されるものではない。図６に示すように、封止剤充填用の開口２０は、例えば孔で形成することも可能である。上記実施形態１と同様に、上方部５の突出端と側方部７の上端との間に形成されたスペーサ４のつなぎ目部分９を例に挙げて説明すると、この孔状の開口２０は、つなぎ目部分９に対面した、例えばスペーサ４の幅の中央位置に設けられ、枠体１０の前面１１と後面１２とを貫通して形成されている。
【００２８】
また、開口２０は、つなぎ目部分９の位置の後方に、封止剤の導入口２１を有している。なお、この枠体１０もまた、少なくともつなぎ目部分９に対応した位置が透明あるいは半透明で形成されている。
そして、開口２０の導入口２１から供給された封止剤３０は、開口２０内に露出したつなぎ目部分９に向けて進み、図６（Ｂ）に示すように、開口２０に充填されるとともに、開口２０内に露出したつなぎ目部分９に充填される。これにより、上方部５と側方部７がつながるので、防水性能の低下を回避できる。
【００２９】
封止剤３０の例えば供給量を多くする、あるいは供給圧力を高くすれば、封止剤３０は、開口２０内に露出したつなぎ目部分９から、板体３の背面と枠体１０の前面１１と間に形成された間隙を経由して、開口２０よりも側方に位置するつなぎ目部分９にも充填される。
よって、この例の場合にも、封止剤３０とスペーサ４とを異なる色で形成するため、封止剤３０がスペーサ４のつなぎ目部分９にまで到達しているかを容易に確認することができる。
【００３０】
また、この例の場合にも、開口２０がスペーサ４の設置範囲よりも小さく形成されており、開口２０のスペーサ４の幅方向でみた長さ（孔径）をスペーサ４の幅よりも小さく形成すれば、封止剤３０が例えば開口２０よりも側方に位置するつなぎ目部分９に入り込んでいることを確認することにより、封止剤３０が開口２０内に露出したつなぎ目部分９にまで到達していることを認識できる。
【００３１】
なお、上記実施形態１では、テレビジョン装置の例で説明したが、本発明は、防水機能を有する表示画面を備える限り、タブレット、スマートフォンなどの端末機器にも適用可能である。
【符号の説明】
【００３２】
１…テレビジョン装置、２…パネルモジュール、３…板体、４…スペーサ、５…上方部、６…下方部、７，８…側方部、９…つなぎ目部分、１０…枠体、１０ａ…上フレーム、１０ｂ…下フレーム、１０ｃ…右フレーム、１０ｄ…左フレーム、１１…前面、１２…後面、１３…ボス部、１４…スピーカ用のカバー部、１５…ＬＣＤパネル、１６…回路基板、１７…背面筐体、１８…電源スイッチ、１９…スタンド、２０…封止剤充填用の開口、２１…導入口、２２…先端面、２３…側面、３０…封止剤。
【図１】
2019029474.tif 000003
【図２】
2019029474.tif 000004
【図３】
2019029474.tif 000005
【図４】
2019029474.tif 000006
【図５】
2019029474.tif 000007
【図６】
2019029474.tif 000008
【手続補正書】
【提出日】平成30年11月13日(2018.11.13)
【手続補正１】
【補正対象書類名】特許請求の範囲
【補正対象項目名】全文
【補正方法】変更
【補正の内容】
【特許請求の範囲】
【請求項１】
枠体と、該枠体の周辺部で、分割されたスペーサを介して固着される板体とを有する筐体構造であって、
前記スペーサのつなぎ目部分の位置に、前記枠体の厚み方向に貫通する、封止剤充填用の開口が設けられており、前記枠体は、前記スペーサのつなぎ目部分の位置で透明あるいは半透明に形成され、前記開口に充填される封止剤が前記スペーサの色とは異なる色で形成されることを特徴とする筐体構造。
【請求項２】
前記封止剤充填用の開口の前記スペーサの幅方向でみた長さが、前記スペーサの幅よりも小さく形成されていることを特徴とする請求項１に記載の筐体構造。
【請求項３】
前記封止剤充填用の開口が切り欠きで形成されていることを特徴とする請求項２に記載の筐体構造。
【請求項４】
前記封止剤充填用の開口が孔で形成されていることを特徴とする請求項２に記載の筐体構造。
【請求項５】
前記スペーサが防水用であることを特徴とする請求項１から４のいずれか一項に記載の筐体構造。
【請求項６】
請求項１から５のいずれか一項に記載の筐体構造を搭載したことを特徴とするテレビジョン装置。
【手続補正２】
【補正対象書類名】明細書
【補正対象項目名】０００６
【補正方法】変更
【補正の内容】
【０００６】
上記課題を解決するために、本発明の第１の技術手段は、枠体と、該枠体の周辺部で、分割されたスペーサを介して固着される板体とを有する筐体構造であって、前記スペーサのつなぎ目部分の位置に、前記枠体の厚み方向に貫通する、封止剤充填用の開口が設けられており、前記枠体は、前記スペーサのつなぎ目部分の位置で透明あるいは半透明に形成され、前記開口に充填される封止剤が前記スペーサの色とは異なる色で形成されることを特徴としたものである。